(57)【特許請求の範囲】
【請求項１】
地面側に固定される構造物本体と、この構造物本体に沿って複数並設され屋内、屋外を仕切る板材と、上記構造物本体に支持されて上記各板材を支持する支持体とを備えた構造物において、
上記支持体の屋外側の面を覆うよう、太陽電池を組み込んだ発電ユニットを配設し、この発電ユニットを上記支持体に支持させ、
上記支持体が、上記構造物本体に支持される屋内側部材と、この屋内側部材よりも屋外側に配設されてこの屋内側部材に支持される屋外側部材とを備え、上記板材のうち互いに隣り合う両板材の互いに対向する両外縁部を、上記屋内側部材の屋外側の面に対しそれぞれ当接させ、かつ、上記屋外側部材を上記両外縁部の間の空間に嵌脱自在に嵌入させて、これら両外縁部と上記屋外側部材の屋内側の面とを離脱可能に当接させると共に、上記屋外側部材を上記屋内側部材に着脱自在に支持させ、上記発電ユニットを上記屋外側部材に支持させると共に、上記各板材と上記発電ユニットとのそれぞれ屋外側の面を互いにほぼ面一にした構造物における太陽光発電装置。
【請求項２】
上記支持体が、上記構造物本体に支持される他の屋内側部材と、この他の屋内側部材よりも屋外側に配設されてこの他の屋内側部材に支持される他の屋外側部材とを備え、これら他の屋内、他の屋外側部材の間に上記板材の外縁部が介在するようにした構造物において、
上記他の屋外側部材に上記発電ユニットを着脱自在に支持させた請求項１に記載の構造物における太陽光発電装置。
【請求項３】
上記支持体と発電ユニットとの間に収納空間を形成し、上記発電ユニットの太陽電池で生じた電気エネルギーを送電する通電体を上記収納空間に配設した請求項２に記載の構造物における太陽光発電装置。
【請求項４】
上記屋内側部材と屋外側部材との間に収納空間を形成し、上記発電ユニットの太陽電池から延出しこの太陽電池で生じた電気エネルギーを送電可能とする通電体を上記収納空間に配設した請求項３に記載の構造物における太陽光発電装置。
【請求項５】
上記板材の屋外側の面に対し、上記発電ユニットの太陽電池の屋外側の面を傾斜させた請求項１から４のうちいずれか１つに記載の構造物における太陽光発電装置。
【発明の詳細な説明】
【０００１】
【発明が属する技術分野】
本発明は、屋内、屋外を仕切るガラス板などの板材と、この板材を構造物本体に支持させる支持体とを備えた構造物において、上記支持体の屋外側の面を覆うよう、太陽電池を組み込んだ発電ユニットを配設した構造物における太陽光発電装置に関するものである。
【０００２】
【従来の技術】
従来、上記構造物における太陽光発電装置には、地面側に固定される構造物本体と、この構造物本体に沿って複数並設され屋内、屋外を仕切る板材と、上記構造物本体に支持されて上記各板材を支持する支持体とを備え、上記板材が、太陽電池を組み込んだ発電ユニットとされたものが提案されている。
【０００３】
【発明が解決しようとする課題】
ところで、上記従来の技術では、構造物の屋外側の面の全面積のうち、上記支持体の屋外側の面の面積が占める割合は、一般に１０％以上であって、これは大きい値であるにもかかわらず、上記支持体は、太陽光発電装置として何ら利用されていないという問題点がある。
【０００４】
本発明は、上記のような事情に注目してなされたもので、構造物の屋外側の面を、太陽光発電用として、有効に利用できるようにすることを課題とする。
【０００５】
【課題を解決するための手段】
上記課題を解決するための本発明の構造物における太陽光発電装置は、次の如くである。
【０００６】
請求項１の発明は、全図に例示するように、地面側に固定される構造物本体２と、この構造物本体２に沿って複数並設され屋内３、屋外４を仕切る板材５と、上記構造物本体２に支持されて上記各板材５を支持する支持体６とを備えた構造物において、
【０００７】
上記支持体６の屋外４側の面を覆うよう、太陽電池３４を組み込んだ発電ユニット３１を配設し、この発電ユニット３１を上記支持体６に支持させたものである。
【０００８】
また、図４に例示するように、上記支持体６が、上記構造物本体２に支持される屋内側部材（後述の実施の形態では、第２屋内側部材、に相当する）５１と、この屋内側部材５１よりも屋外４側に配設されてこの屋内側部材５１に支持される屋外側部材（後述の実施の形態では、第２屋外側部材、に相当する）５２とを備え、上記板材５のうち互いに隣り合う両板材５，５の互いに対向する両外縁部２４，２４を、上記屋内側部材５１の屋外４側の面に対しそれぞれ当接させ、かつ、上記屋外側部材５２を上記両外縁部２４の間の空間に嵌脱自在に嵌入させて、これら両外縁部２４，２４と上記屋外側部材５２の屋内３側の面とを離脱可能に当接させると共に、上記屋外側部材５２を上記屋内側部材５１に着脱自在に支持させ、上記発電ユニット３１を上記屋外側部材５２に支持させると共に、上記各板材５，５と上記発電ユニット３１とのそれぞれ屋外４側の面を互いにほぼ面一にしたものである。
【０００９】
請求項２の発明は、図１、７〜１０に例示するように、請求項１の発明に加えて、上記支持体６が、上記構造物本体２に支持される他の屋内側部材（後述の実施の形態では、第１屋内側部材、に相当する）２２と、この他の屋内側部材２２よりも屋外４側に配設されてこの他の屋内側部材２２に支持される他の屋外側部材（後述の実施の形態では、第１屋外側部材、に相当する）２３とを備え、これら他の屋内、他の屋外側部材２２，２３の間に上記板材５の外縁部２４が介在するようにした構造物において、
【００１０】
上記他の屋外側部材２３に上記発電ユニット３１を着脱自在に支持させたものである。
【００１１】
請求項３の発明は、図１、７〜１０に例示するように、請求項２の発明に加えて、上記支持体６と発電ユニット３１との間に収納空間４７を形成し、上記発電ユニット３１の太陽電池３４で生じた電気エネルギーを送電する通電体３７を上記収納空間４７に配設したものである。
【００１２】
請求項４の発明は、図４に例示するように、請求項３の発明に加えて、上記屋内側部材５１と屋外側部材５２との間に収納空間５６を形成し、上記発電ユニット３１の太陽電池３４から延出しこの太陽電池３４で生じた電気エネルギーを送電可能とする通電体３７を上記収納空間５６に配設したものである。
【００１３】
請求項５の発明は、図９，１０に例示するように、請求項１から４のうちいずれか１つの発明に加えて、上記板材５の屋外４側の面に対し、上記発電ユニット３１の太陽電池３４の屋外４側の面を傾斜させたものである。
【００１４】
【発明の実施の形態】
以下、本発明の実施の形態を図面により説明する。
【００１５】
（第１の実施の形態）
【００１６】
図１〜４は、第１の実施の形態を示している。
【００１７】
図において、符号１は建築物の屋根である構造物であり、この構造物１は、地面や、この地面上に固定された他の構造物等地面側に固定される構造物本体２と、この構造物本体２の外面に沿ったほぼ水平、かつ、平坦な仮想面Ａ上に複数並設され上記構造物１の屋内３、屋外４を仕切る板材５と、上記構造物１に締結具などにより着脱自在に支持される一方、上記各板材５を支持するサッシである支持体６とを備えている。
【００１８】
上記構造物１は、太陽光発電装置８を備えており、以下、この太陽光発電装置８につき説明する。
【００１９】
上記板材５は、ガラス板製、もしくは樹脂板製の透明板９、およびこの透明板９に固着された太陽電池１０とで構成される発電パネル１１と、この発電パネル１１の屋内３側の面に接近して上記発電パネル１１に対面させられるガラス板製もしくは樹脂板製の透明板１４と、上記発電パネル１１と透明板１４の各外縁部の間に介設される防水性でゴム製のシール１５とを備え、上記発電パネル１１と透明板１４は互いに固着されて一体化されている。上記太陽電池１０から延出してこの太陽電池１０で生じた電気エネルギーをバッテリなど受電装置に送電可能とする通電体１６が設けられ、この通電体１６は電線やコネクタとされている。
【００２０】
上記支持体６は、上記仮想面Ａに沿って一方向に延びると共に互いに平行に並設される複数本の縦材１８と、上記仮想面Ａに沿って上記縦材１８に直交状に交差するよう延びると共に互いに平行に並設される複数本の横材１９とを備え、これら縦材１８と横材１９とはそれぞれ等ピッチで、全体として碁盤目状に配置されている。
【００２１】
図１〜３において、上記支持体６の縦材１８は、上記構造物本体２に締結具などにより着脱自在に支持される第１屋内側部材２２と、この第１屋内側部材２２よりも屋外４側に配設されてこの第１屋内側部材２２に締結具により着脱自在に締結されて支持される第１屋外側部材２３とを備え、上記仮想面Ａに沿った方向で互いに隣り合う両板材５，５の互いに対向する両外縁部２４，２４が、上記第１屋内、第１屋外側部材２２，２３の間に介在させられている。上記第１屋内側部材２２と第１屋外側部材２３とは、それぞれアルミ、ステンレス等金属製で、押し出し、引き抜きやプレス加工により成形される。
【００２２】
上記第１屋内側部材２２と第１屋外側部材２３との互いの締結部の間には断熱材でゴム製の第１シール２５が介設され、上記第１屋内側部材２２の屋外４側の面と各板材５の外縁部２４の屋内３側の面との間にはそれぞれ緩衝材でゴム製の第２シール２６が介設され、また、上記各板材５の外縁部２４の屋外４側の面と上記第１屋外側部材２３の屋内３側の面との間にはそれぞれ防水材でシリコン等製の第３シール２７が介設されている。上記板材５は、その外縁部２４が上記第１屋内側部材２２と第１屋外側部材２３とにより、上記第２、第３シール２６，２７を介し挟み付けられることにより、上記支持体６に支持されている。この場合、上記第１屋内側部材２２と第１屋外側部材２３とが上記板材５の外縁部２４に対し、上記第２、第３シール２６，２７を介し圧接させられており、上記第１〜第３シール２５〜２７によって、上記第１屋内側部材２２と第１屋外側部材２３との間の空間２８が閉じられた空間とされている。
【００２３】
上記支持体６の第１屋外側部材２３の屋外４側の面をその外方から覆うよう発電ユニット３１が配設され、この発電ユニット３１は上記支持体６の第１屋外側部材２３に支持具３２により着脱自在に支持されている。
【００２４】
上記発電ユニット３１は、ガラス板製もしくは樹脂板製の透明板３３、およびこの透明板３３に固着された太陽電池３４とで構成される発電パネル３５と、この発電パネル３５を固着させて上記支持具３２により上記支持体６の第１屋外側部材２３に着脱自在に支持されるブラケット３６と、上記太陽電池３４から延出してこの太陽電池３４で生じた電気エネルギーを前記受電装置に送電可能とする通電体３７とを備えている。上記ブラケット３６は、上記第１屋内側部材２２や第１屋外側部材２３と互いに同じ材質とされる。
【００２５】
上記支持具３２は、上記第１屋外側部材２３の屋外４側の面に一体的に突設される一対の係止部４０，４０と、上記発電ユニット３１のブラケット３６の屋内３側の面に一体成形される一対の被係止部４１，４１とを備え、上記各係止部４０に対し上記各被係止部４１が係脱自在に係止され、もって、上記したように、支持具３２により支持体６の第１屋外側部材２３に対し発電ユニット３１が着脱自在に支持されている。なお、この支持は締結具によるものであってもよい。
【００２６】
上記第１屋外側部材２３は、上記仮想面Ａに沿ったその幅方向の中途部を上記第１屋内側部材２２側に膨出させて成形された本体部４４と、この本体部４４の開口縁部に成形された一対の外向きフランジ４５，４５とを備えている。上記本体部４４は、上記した互いに隣り合う両板材５，５の互いに対向する両外縁部２４，２４の間の空間に嵌脱自在に嵌入させられて上記第１屋内側部材２２に支持されている。また、上記各外向きフランジ４５の屋内３側の面と、上記板材５の外縁部２４の屋外４側の面との間に第３シール２７が介設されている。また、上記各外向きフランジ４５にそれぞれ上記係止部４０が一体成形されている。
【００２７】
上記支持体６の第１屋外側部材２３と、上記発電ユニット３１との間であって、上記第１屋外側部材２３の本体部４４の内部空間に収納空間４７が形成され、この収納空間４７に上記通電体３７が配設されている。より具体的には、上記第１屋外側部材２３、発電ユニット３１のブラケット３６、支持具３２の一対の係止部４０，４０、および、一対の被係止部４１，４１で囲まれた上記収納空間４７に上記通電体３７が配設され、この通電体３７は上記支持体６の第１屋外側部材２３に保持されている。上記通電体３７を収納した収納空間４７である上記第１屋内側部材２２の本体部４４の内部空間の開口部を、開閉自在に覆う弾性のカバー体４８が設けられている。
【００２８】
上記支持体６の横材１９は、上記支持体６の縦材１８と基本構成が同じであるため、上記支持体６の横材１９の説明において、上記支持体６の縦材１８と共通する構成については、図面に共通の符号を付して、その説明を省略する。
【００２９】
図２〜４において、上記支持体６の横材１９は、上記支持体６の縦材１８の第１屋内側部材２２を介して上記構造物本体２に締結具などにより着脱自在に支持される第２屋内側部材５１と、この第２屋内側部材５１よりも屋外４側に配設されてこの第２屋内側部材５１に係止具５３により係脱自在に係止させることにより着脱自在に支持される第２屋外側部材５２とを備えている。
【００３０】
上記仮想面Ａに沿った方向で、上記両板材５，５の互いに対向する両外縁部２４，２４における各透明板１４の外縁部が、上記第２屋外側部材５２の屋内３側の面にそれぞれ上記第３シール２７を介して当接させられている。
【００３１】
上記第２屋外側部材５２は、そのほぼ全体が上記両板材５，５の外縁部２４，２４の間の空間に嵌脱自在に嵌入させられると共に、上記第２屋内側部材５１の屋外４側の面に着脱自在に支持され、上記発電ユニット３１の発電パネル３５は上記第２屋外側部材５２の屋外４側の面に固着された状態で支持されている。
【００３２】
上記発電ユニット３１は、上記両板材５，５の外縁部２４，２４と、上記第２屋内側部材５１の屋外４側の面とで囲まれた空間に嵌脱自在に嵌入させられており、上記各板材５，５と上記発電ユニット３１のそれぞれ屋外４側の面は互いにほぼ面一とされている。また、上記板材５の各外縁部２４の発電パネル１１と、これに対向する発電ユニット３１の各外縁部および第２屋外側部材５２の各外縁部との間にはそれぞれ防水材でシリコン等製の第４シール５４が介設されている。
【００３３】
図１，２において、上記支持体６の横材１９の長手方向の各端部と、この端部に対応する上記板材５の外縁部２４とは、上記支持体６の縦材１８の長手方向の中途部において、この縦材１８の第１屋内側部材２２と第１屋外側部材２３との間に挟み付けられて上記支持体６の縦材１８に支持されている。この場合、上記板材５の外縁部２４の屋外４側の面と、上記支持体６の縦材１８における第１屋外側部材２３の屋内３側の面との間には上記第３シール２７が介設されている。
【００３４】
上記第２屋内側部材５１と第２屋外側部材５２との間に収納空間５６が形成され、この収納空間５６に通電体３７が配設され、この通電体３７は上記第２屋内側部材５１に保持されている。
【００３５】
上記構成によれば、地面側に固定される構造物本体２と、この構造物本体２に沿って複数並設され屋内３、屋外４を仕切る板材５と、上記構造物本体２に支持されて上記各板材５を支持する支持体６とを備えた構造物において、
【００３６】
上記支持体６の屋外４側の面を覆うよう、太陽電池３４を組み込んだ発電ユニット３１を配設し、この発電ユニット３１を上記支持体６に支持させている。
【００３７】
このため、構造物１において、上記板材５を支持するための支持体６の屋外４側の面が、上記発電ユニット３１により太陽光発電に有効に利用されることとなり、これは、太陽光発電装置８の発電量を向上させることとなって有益である。
【００３８】
また、上記の場合、支持体６の縦材１８において、支持体６に発電ユニット３１を支持具３２により着脱自在に支持させてある。
【００３９】
このため、上記発電ユニット３１の保守、点検時やこれを新しいものに交換する場合の作業は、上記支持体６に対し上記発電ユニット３１を着脱することにより達成され、また、この際の作業は、上記支持体６に邪魔されることなく、この支持体６の屋外４側から容易にすることができる。
【００４０】
また、前記したように、支持体６の縦材１８において、支持体６が、上記構造物本体２に支持される第１屋内側部材２２と、この第１屋内側部材２２よりも屋外４側に配設されてこの第１屋内側部材２２に支持される第１屋外側部材２３とを備え、これら第１屋内、第１屋外側部材２２，２３の間に上記板材５の外縁部２４が介在するようにした構造物において、
【００４１】
上記第１屋外側部材２３に上記発電ユニット３１を着脱自在に支持させている。
【００４２】
このため、上記発電ユニット３１の保守、点検時や、これを新しいものに交換する場合の作業は、上記板材５や支持体６にそれぞれ邪魔されることなく、これら板材５や支持体６の屋外４側から容易にすることができる。
【００４３】
また、前記したように、支持体６の縦材１８において、支持体６と発電ユニット３１との間に収納空間４７を形成し、上記発電ユニット３１の太陽電池３４で生じた電気エネルギーを送電する通電体３７を上記収納空間４７に配設している。
【００４４】
このため、上記支持体６から発電ユニット３１を取り外せば、上記収納空間４７が上記支持体６の屋外４側に開放される。
【００４５】
よって、上記収納空間４７に対する通電体３７の配設作業や、この通電体３７に対する保守、点検作業は、上記板材５や支持体６にそれぞれ邪魔されることなく、これら板材５や支持体６の屋外４側から容易にすることができる。
【００４６】
また、前記したように、支持体６の横材１９において、支持体６が、上記構造物本体２に支持される第２屋内側部材５１と、この第２屋内側部材５１よりも屋外４側に配設されてこの第２屋内側部材５１に支持される第２屋外側部材５２とを備え、上記板材５のうち互いに隣り合う両板材５，５の互いに対向する両外縁部２４，２４を、上記第２屋内側部材５１の屋外４側の面に対しそれぞれ当接させ、かつ、上記第２屋外側部材５２を上記両外縁部２４の間の空間に嵌脱自在に嵌入させると共に、上記第１屋内側部材２２に着脱自在に支持させた構造物において、
【００４７】
上記発電ユニット３１を上記第２屋外側部材５２に支持させてある。
【００４８】
このため、上記発電ユニット３１の保守、点検作業や、これを新しいものに交換する場合の作業は、上記第２屋内側部材５１に対し上記発電ユニット３１を第２屋外側部材５２と共に着脱することにより達成され、また、この際の作業は、上記板材５や支持体６の第２屋内側部材５１にそれぞれ邪魔されることなく、これら板材５や支持体６の第２屋内側部材５１の屋外４側から容易にすることができる。
【００４９】
また、前記したように、支持体６の横材１９において、第２屋内側部材５１と第２屋外側部材５２との間に収納空間５６を形成し、上記発電ユニット３１の太陽電池３４から延出しこの太陽電池３４で生じた電気エネルギーを送電可能とする通電体３７を上記収納空間５６に配設している。
【００５０】
このため、上記支持体６の第２屋内側部材５１から発電ユニット３１と共に第２屋外側部材５２を取り外せば、上記収納空間５６が上記支持体６の第２屋内側部材５１の屋外４側に開放されることとなる。
【００５１】
よって、上記収納空間５６に対する通電体３７の配設作業や、この通電体３７に対する保守、点検作業は、上記板材５や支持体６の第２屋内側部材５１にそれぞれ邪魔されることなく、これら板材５と支持体６の第２屋内側部材５１の屋外４側から容易にすることができる。
【００５２】
なお、以上は図示の例によるが、仮想面Ａは円弧状の曲面であってもよく、板材５は単なるガラス板であってもよい。また、仮想面Ａを傾斜面や垂直面として、板材５と支持体６が、構造物１の傾斜屋根や、垂直壁を構成するようにしてもよい。また、上記支持体６を第１屋内側部材２２で構成する一方、上記第１屋外側部材２３を上記発電ユニット３１のブラケット３６の一部を構成するものとしてもよく、この場合には、上記空間２８が収納空間４７とされる。
【００５３】
また、上記各シール２５〜２７，５４はナイフで切断したり、削り落とし自在であり、もって、これらを新しいものに交換自在とされている。また、上記カバー体４８はなくてもよい。
【００５４】
以下の各図は、第２，３の実施の形態を示している。これら各実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００５５】
（第２の実施の形態）
【００５６】
図５〜８は、第２の実施の形態を示している。
【００５７】
これによれば、上記支持体６の横材１９の長手方向の中途部は、上記支持体６の縦材１８とほぼ同じ断面形状とされている。
【００５８】
一方、上記支持体６の横材１９の長手方向の各端部は、この端部に対応する上記支持体６の縦材１８の長手方向の中途部において、この縦材１８の第１屋内側部材２２と第１屋外側部材２３との間に挟み付けられて、上記支持体６の縦材１８に支持されている。この場合、支持体６の縦材１８の長手方向で互いに隣り合う両板材５，５の間には防水材でシリコン等製の第５シール５８が介設されている。
【００５９】
（第３の実施の形態）
【００６０】
図９，１０は、第３の実施の形態を示している。
【００６１】
これによれば、上記板材５の屋外４側の面、つまり、仮想面Ａに対し、上記発電ユニット３１の太陽電池３４の屋外４側の面が傾斜させられている。
【００６２】
このため、上記構造物１における板材５が、この構造物１の構造上等の都合によりいずれの方向に向うとしても、これにかかわらず、上記発電ユニット３１の太陽電池３４がより効果的に太陽光を受ける方向に、この太陽電池３４を向わせることができる。
【００６３】
よって、構造物１において、上記板材５を支持するための支持体６の屋外４側の面が、上記発電ユニット３１により、太陽光発電に、より有効に利用されることとなり、これは、太陽光発電装置８の発電量をより向上させることとなって極めて有益である。
【００６４】
【発明の効果】
本発明による効果は、次の如くである。
【００６５】
請求項１の発明は、地面側に固定される構造物本体と、この構造物本体に沿って複数並設され屋内、屋外を仕切る板材と、上記構造物本体に支持されて上記各板材を支持する支持体とを備えた構造物において、
【００６６】
上記支持体の屋外側の面を覆うよう、太陽電池を組み込んだ発電ユニットを配設し、この発電ユニットを上記支持体に支持させている。
【００６７】
このため、構造物において、上記板材を支持するための支持体の屋外側の面が、上記発電ユニットにより太陽光発電に有効に利用されることとなり、これは、太陽光発電装置の発電量を向上させることとなって有益である。
【００６８】
また、上記支持体が、上記構造物本体に支持される屋内側部材と、この屋内側部材よりも屋外側に配設されてこの屋内側部材に支持される屋外側部材とを備え、上記板材のうち互いに隣り合う両板材の互いに対向する両外縁部を、上記屋内側部材の屋外側の面に対しそれぞれ当接させ、かつ、上記屋外側部材を上記両外縁部の間の空間に嵌脱自在に嵌入させて、これら両外縁部と上記屋外側部材の屋内側の面とを離脱可能に当接させると共に、上記屋外側部材を上記屋内側部材に着脱自在に支持させ、上記発電ユニットを上記屋外側部材に支持させると共に、上記各板材と上記発電ユニットとのそれぞれ屋外側の面を互いにほぼ面一にしている。
【００６９】
このため、上記発電ユニットの保守、点検作業や、これを新しいものに交換する場合の作業は、上記屋内側部材に対し上記発電ユニットを屋外側部材と共に着脱することにより達成され、また、この際の作業は、上記板材や支持体の屋内側部材にそれぞれ邪魔されることなく、これら板材や支持体の屋内側部材の屋外側から容易にすることができる。
【００７０】
請求項２の発明は、上記支持体が、上記構造物本体に支持される他の屋内側部材と、この他の屋内側部材よりも屋外側に配設されてこの他の屋内側部材に支持される他の屋外側部材とを備え、これら他の屋内、他の屋外側部材の間に上記板材の外縁部が介在するようにした構造物において、
【００７１】
上記他の屋外側部材に上記発電ユニットを着脱自在に支持させている。
【００７２】
このため、上記発電ユニットの保守、点検時や、これを新しいものに交換する場合の作業は、上記板材や支持体にそれぞれ邪魔されることなく、これら板材や支持体の屋外側から容易にすることができる。
【００７３】
請求項３の発明は、上記支持体と発電ユニットとの間に収納空間を形成し、上記発電ユニットの太陽電池で生じた電気エネルギーを送電する通電体を上記収納空間に配設している。
【００７４】
このため、上記支持体から発電ユニットを取り外せば、上記収納空間が上記支持体の屋外側に開放される。
【００７５】
よって、上記収納空間に対する通電体の配設作業や、この通電体に対する保守、点検作業は、上記板材や支持体にそれぞれ邪魔されることなく、これら板材や支持体の屋外側から容易にすることができる。
【００７６】
請求項４の発明は、上記屋内側部材と屋外側部材との間に収納空間を形成し、上記発電ユニットの太陽電池から延出しこの太陽電池で生じた電気エネルギーを送電可能とする通電体を上記収納空間に配設している。
【００７７】
このため、上記支持体の屋内側部材から発電ユニットと共に屋外側部材を取り外せば、上記収納空間が上記支持体の屋内側部材の屋外側に開放されることとなる。
【００７８】
よって、上記収納空間に対する通電体の配設作業や、この通電体に対する保守、点検作業は、上記板材や支持体の屋内側部材にそれぞれ邪魔されることなく、これら板材と支持体の屋内側部材の屋外側から容易にすることができる。
【００７９】
請求項５の発明は、上記板材の屋外側の面に対し、上記発電ユニットの太陽電池の屋外側の面を傾斜させてある。
【００８０】
このため、上記構造物における板材が、この構造物の構造上等の都合によりいずれの方向に向うとしても、これにかかわらず、上記発電ユニットの太陽電池がより効果的に太陽光を受ける方向に、この太陽電池を向わせることができる。
【００８１】
よって、構造物において、上記板材を支持するための支持体の屋外側の面が、上記発電ユニットにより、太陽光発電に、より有効に利用されることとなり、これは、太陽光発電装置の発電量をより向上させることとなって極めて有益である。
【図面の簡単な説明】
【図１】  第１の実施の形態で、図３の１−１線矢視断面図である。
【図２】  第１の実施の形態で、構造物の平面図である。
【図３】  第１の実施の形態で、図２の部分拡大部分破断図である。
【図４】  第１の実施の形態で、図３の４−４線矢視断面図である。
【図５】  第２の実施の形態で、図２に相当する図である。
【図６】  第２の実施の形態で、図３に相当する図である。
【図７】  第２の実施の形態で、図６の７−７線矢視断面図である。
【図８】  第２の実施の形態で、図６の８−８線矢視断面図である。
【図９】  第３の実施の形態で、図１に相当する図である。
【図１０】  第３の実施の形態で、図４に相当する図である。
【符号の説明】
１      構造物
２      構造物本体
３      屋内
４      屋外
５      板材
６      支持体
８      太陽光発電装置
２２    第１屋内側部材（特許請求の範囲では、他の屋内側部材、に相当する）
２３    第１屋外側部材（特許請求の範囲では、他の屋外側部材、に相当する）
２４    外縁部
３１    発電ユニット
３２    支持具
３４    太陽電池
３５    発電パネル
３６    ブラケット
３７    通電体
４７    収納空間
５１    第２屋内側部材（特許請求の範囲では、屋内側部材、に相当する）
５２    第２屋外側部材（特許請求の範囲では、屋外側部材、に相当する）
５６    収納空間
【図１】
0004703019.tif 000002
【図２】
0004703019.tif 000003
【図３】
0004703019.tif 000004
【図４】
0004703019.tif 000005
【図５】
0004703019.tif 000006
【図６】
0004703019.tif 000007
【図７】
0004703019.tif 000008
【図８】
0004703019.tif 000009
【図９】
0004703019.tif 000010
【図１０】
0004703019.tif 000011